(57)【要約】    【課題】  広い作業面積を有し、比較的軽量且つ安定性があり、手術台への取付け・取外し、術後の分解、清拭を容易に行なうことができる上肢手術台を提供する。    【解決手段】  補助台は、強固な材料からなる枠部材と、枠部材に対し着脱可能な板部材とで構成され、枠部材は、板部材の下面周縁部を支える支持部と支持部に対し直交する方向の連結部からなり、支持部には板部材を支持部に着脱自在に固定するための手段が設けられている。この補助台は、枠部材の連結部を、手術用寝台に固定されたクランプに差し込むだけで容易に手術用寝台に取り付けることができる。【選択図】  図１
2006136445.tif 000002
【特許請求の範囲】
【請求項１】
手術台に固定し、患者の上肢を保持固定するための上肢手術台であって、
枠部材と、前記枠部材に対し着脱可能な板部材とを備え、
前記枠部材は、前記板部材の下面周縁部を支える支持部と、前記支持部に対し直交する方向に屈曲し、前記手術台に連結される連結部とからなり、前記板部材を前記支持部に着脱自在に固定する手段とを備えたことを特徴とする手術台。
【請求項２】
請求項１記載の上肢手術台であって、
前記固定する手段は、前記板部材を支持するとともに板部材の枠部材への着脱をガイドする複数のガイド部からなることを特徴とする手術台。
【請求項３】
請求項１又は２に記載の上肢手術台であって、
前記支持部は、二つの側部とこれら側部を連結する底部とからなるＵ字状の形状を有し、前記二つの側部の間隔は、前記底部から離れるに従い漸増することを特徴とする手術台。
【請求項４】
請求項１ないし３いずれか１項記載の上肢手術台であって、
前記枠部材は、少なくとも一部に補強部材を備えたことを特徴とする手術台。
【請求項５】
請求項１ないし４いずれか１項記載の上肢手術台であって、
前記補強部材は、前記支持部の二つの側部にそれぞれ設けられた側部補強部材と、これら側部補強部材の端部間を固定する固定部材とを備えたことを特徴とする手術台。
【請求項６】
請求項５項記載の上肢手術台であって、
前記固定部材は、前記板部材が着脱される面よりわずかに突出する突出部を有することを特徴とする手術台。
【発明の詳細な説明】
【技術分野】
【０００１】
本発明は、手術用寝台の横臥面に設置され、患者の上肢を支持するための上肢手術台に関する。
【背景技術】
【０００２】
整形外科や外科の手術では、患者の上肢（手、前腕、肘、上腕）を対象とする場合があり、手術用寝台には、それら手術部位を載せるための補助台が固定できるように構成されている。このような補助台は、十分な広さと、手術中の医者や看護士など複数の人数の体重の一部を支えるだけの強度と剛性が要求される。また手術中にレントゲンで手術部位を透視することも多く、このため補助台の材料としてはＸ線を透過する材料を用いる必要がある。
【０００３】
従来、手術台の一部となる補助台には、大きく分けて２つのタイプがあり、一つはＸ線を透過する材料からなる板材の下端部に、手術台の外周に設けられたレールに固定するための一対のクランプとそれらを連結する連結棒を固定した構造を有している（従来技術１、例えば非特許文献１）。他の一つは、大型の樹脂板の一端に金属製の脚を固定したもので、脚が固定されていない端部を手術台のマットの下に差込み、脚で床から支える構造となっている（従来技術２、例えば非特許文献２）。
【非特許文献１】カタログ「電動式一般透視用万能方手術台  ＴＳ−１４５ＬＭＰ」2003年11月（寺内製作所）
【非特許文献２】カタログ「整形外科手術器械」2000年5月（瑞穂医科工業株式会社）
【発明の開示】
【発明が解決しようとする課題】
【０００４】
しかし従来技術１の補助台は、強固な支持構造であるクランプとそれを繋ぐ連結棒が固定されているため非常に重く、手術台への取付け・取り外し、手術後の清拭などの作業性が悪いという問題がある。特に手術台への取付け・取り外し作業を、板を水平に支えた状態で板の下側で行なわなければならないため、作業を困難にしていた。
【０００５】
一方、従来技術２の補助台は、手術台への取付けは容易であるものの、時として脚部が術者の行動やレントゲン等医療機器の使用を妨げる場合があった。またこの補助台も従来技術１の補助台と同様に非常に重いため、手術後の清拭作業が困難であった。
【０００６】
そこで本発明は、広い作業面積を提供することができ、しかも比較的軽量であって手術台への取付けや取り外し作業を容易に行なうことができる上肢手術台を提供することを目的とする。また本発明は、手術台に取り付けたときに、手術に必要な十分な強度と安定性があり、且つ術者や医療器械の動作を妨げることがない上肢手術台を提供することを特徴とする。さらに本発明は、分解、清拭が容易である上肢手術台を提供することを目的とする。
【課題を解決するための手段】
【０００７】
上記目的を達成する本発明は、上肢手術台を、強固な材料からなる枠部材と、枠部材に対し着脱可能な板部材とで構成するとともに、枠部材に、手術台に固定されたクランプに差し込むだけで係合できる手段を設けたものである。
【０００８】
即ち、本発明の上肢手術台は、手術台に固定し、患者の体の一部を保持固定するための手術台であって、枠部材と、前記枠部材に対し着脱可能な板部材とを備え、前記枠部材は、前記板部材の下面周縁部を支える支持部と、前記支持部に対し直交する方向に屈曲し、前記手術台に連結される連結部とからなり、前記板部材を前記支持部に着脱自在に固定する手段とを備えたことを特徴とする。
【０００９】
本発明の上肢手術台は、好適には、固定する手段が、板部材を支持するとともに板部材の枠部材への着脱をガイドする複数のガイド部からなる。
また本発明の上肢手術台は、好適には、支持部が、二つの側部とこれら側部を連結する底部とからなるＵ字状の形状を有し、二つの側部の間隔は、底部から離れるに従い漸増する。
【００１０】
また本発明の上肢手術台は、好適には、枠部材が、少なくとも一部に補強部材を備える。
また本発明の上肢手術台は、好適には、補強部材が、支持部の二つの側部にそれぞれ設けられた側部補強部材と、これら側部補強部材の端部間を固定する固定部材とを備え、さらに好適には、固定部材は、板部材が着脱される面よりわずかに突出する突出部を有する。
【発明の効果】
【００１１】
本発明の上肢手術台によれば、補助台としての強度を保つための枠材と、手術の作業台となる板部材とを別部材とし、着脱可能に構成したことにより、補助台全体としての重量を軽く、例えば６kg程度にすることができ、しかも手術に必要な十分な広さ、強度、安定性を提供することができる。また本発明の上肢手術台は、軽量であり、しかも手術台に固定したクランプに（枠部材の一部である）連結部を差し込むだけで手術台に固定できるので、取付け・取り外し作業を極めて容易に行なうことができる。
【００１２】
また本発明の上肢手術台は、脚部を有しないので、術者の作業やレントゲン装置等の移動の妨げとなることがない。板部材をＸ線透過性の材料とすることによりレントゲン透視も可能である。さらに本発明の手術用補助台は、枠部材から板部材を取り外し可能であるので、手術後の清拭を容易に行うことができる。
【発明を実施するための最良の形態】
【００１３】
以下、本発明の上肢手術台の実施の形態を、図面を参照して説明する。
図１は本実施の形態の上肢手術台４を手術用寝台１に固定した状態を示す図で、図２はその要部を示す図である。図示するように、本実施形態の上肢手術台４は、Ｕ字形状を有する枠部材５と、枠部材５に対し着脱可能な板部材１２とを備えている。
【００１４】
板部材１２は、Ｘ線を透過する材料、例えばＦＲＰ板、樹脂板等からなり、枠部材５の輪郭で囲まれた形状とほぼ同様の形状を有する。本実施の形態では、板部材１２は、図３に示すように、略長方形の２つの角を含む端部を、長方形の短辺を直径（２Ｒ１）とする半円としたＵ字形状を有している。
【００１５】
枠部材５は、図４（ａ）〜（ｃ）に示すように、板部材１２が固定される面Ａを形成するＵ字状の部分（支持部）５−１と、Ｕ字状部分の端部において、面Ａに垂直に（Ｌ字状に）屈曲した部分（連結部）５−２とからなり、本実施の形態では支持部５−１及び連結部５−２は連続した１本の金属製の棒状部材からなる。
【００１６】
支持部５−１の両側部には、それぞれ棒状部材を囲むように、断面がコ字状の補強部材６が固定されている。これら補強部材６の端部は、止め部材１１によって連結されている。これによりＵ字状の枠部材５が開いて変形するのを防止するとともに、補強部材６及び止め部材１１により枠部材５全体の強度を増強している。補強部材６と枠部材５との固定及び補強部材６と止め部材１１との固定は、例えば、ネジ、ボルト、溶接で行なうことができる。
【００１７】
また支持部５−１には、板部材１２を支持部に取り付ける際のガイドとなるとともに、取り付け後の板部材１２が外れるのを防止するための複数のガイド７、８、９が設けられている。ガイドは、図示する実施形態では、Ｕ字の両端部(補強部材６の端部)７、７、Ｕ字の底に近い両側部８、８、及び底中央９の５個が設けられている。これらガイドは、断面Ｌ字状の小板片からなり、互いに直交する２つ面の一方を垂直にして、他方を支持部の枠の内側となるように補強部材６及び枠部材５に固定することにより、補強部材６及び枠部材５との間に、板部材１２を案内する空隙を形成することができる。
【００１８】
ガイド７、７の間隔Ｗaは、ガイド８、８の間隔Wbよりわずかに広く、これにより、板部材１２をその支持部５−１に固定する際に容易に差し込むことができ、また差し込んだときに板部材１２の側面とガイドが密着し確実に板部材１２を固定することができる。
また図４（ａ）に示すように、部材１１は補強部材６に固定される両端部の近傍が、板部材１２が載置される面Ａよりもわずかに高くなっており、これにより、支持部５−１に差し込まれた板部材１２が容易に抜けないようになっている。
【００１９】
支持部５−１に連続してＬ字状に屈曲した連結部５−２は、図２（ｂ）に示すように、手術台２の側面に固定されたレール２に固定されるクランプ３の穴と係合するサイズになっている。
【００２０】
次に上記構成における本実施の形態の上肢手術台の使用方法を説明する。
まず手術台４を手術用寝台１に取り付けるには、まず、手術台４を取り付けようとする手術用寝台１のレール２にクランプ３を固定する。一方、手術台４の枠部材５に、板部材１２を固定する。板部材１２の固定は、まず板部材１２の先端をガイド７、７からガイド８、８に順に差込み、その先端がガイド９に当接するまで差込むことにより行なう。板部材１２の後端が、部材１１の突出部１０を超えて差し込まれると板部材１２はガイドに密着し安定する。このように板部材１２を固定した後、手術台４の連結部５をクランプ３に差込み手術用寝台１に固定する。
【００２１】
手術後は、連結部５をクランプ３から抜いて、手術台４を手術用寝台１から取り外し、板部材１２の後端を引き上げながら、突出部１０を超えて引き出し、枠部材５と板部材１２を分解する。これら部材をそれぞれ清拭し、次回の使用に備える。手術による汚れが板部材１２のみの場合には、手術台４を手術用寝台１から外さずに、板部材１２のみを枠部材５から引き出し、清拭することもできる。
【００２２】
以上、本発明の上肢手術台の一実施の形態を説明したが、本発明は上記実施の形態に限定されることなく、種々の変更が可能である。例えば、板部材及び枠材の形状として半円状の曲部を有するＵ字状のものを説明したが、これらの形状はＵ字状に限らず、例えば図５に示すように長方形の２角にＲをつけた形状にしたり、手術部位の形状や作業性を考慮して変更したりすることもできる。また板部材をガイドするガイドの形状、数も上記実施形態に限定されるものではない。
【図面の簡単な説明】
【００２３】
【図１】本発明の手術台を手術用寝台に取り付けた状態を示すで、（ａ）は正面図、（ｂ）は側面図、（ｃ）は上面図である。
【図２】図１の要部を示す図で、（ａ）は正面図、（ｂ）は上面図である。
【図３】板部材の一例を示す上面図。
【図４】枠部材の一例を示す図で、（ａ）は正面図、（ｂ）は側面図、（ｃ）は上面図である。
【図５】板部材の他の例を示す上面図。
【符号の説明】
【００２４】
１・・・手術用寝台、３・・・クランプ、４・・・上肢手術台、５・・・枠部材、５−１・・・支持部、５−２・・・連結部、６・・・補強部材、７，８，９・・・ガイド、１０・・・突出部、１１・・・止め部材、１２・・・板部材
【図１】
2006136445.tif 000003
【図２】
2006136445.tif 000004
【図３】
2006136445.tif 000005
【図４】
2006136445.tif 000006
【図５】
2006136445.tif 000007